(57)【要約】【課題】シャッタ部材のカートリッジ本体への取り付けを容易に行う。【解決手段】記録再生用開口部１３のシャッタ部材３５を支持するスライドガイド部３４を有するカートリッジ本体５と、シャッタ部３６と、シャッタ部３６と平行に折り曲げられスライドガイド部３４に支持される支持片４３及びシャッタ部３６の直交方向に折り曲げられスライドガイド部３４を挟持する係合片４５ａが形成されたカートリッジ支持部３７とを有するシャッタ部材３５とを備えたディスクカートリッジ１において、支持片４３はスライド方向の一端側の折曲げ長さが他端側よりも長くされ、スライドガイド部３４は支持片４３が挿入されるガイド溝５１と、係合片４５ａが嵌挿されるガイドレール部５２とを有し、ガイド溝５１にはシャッタ部材３５のスライドガイド部３４への装着時に支持片４３が挿入される切欠部５３が設けられ、切欠部５３は支持片４３の長辺側に対応する側の切欠き深さが短辺側に対応する側の切欠き深さより深くされたテーパ面を有する。【選択図】図１０
2006172519.tif 000002
【特許請求の範囲】
【請求項１】
ディスクを回転自在に収納するとともに、一面側に上記ディスクを回転駆動するディスク回転駆動機構が進入する駆動用開口部及び上記ディスクに対して情報信号の記録及び／又は再生を行う記録及び／又は再生用開口部が形成され、一側面に上記記録及び／又は再生用開口部を開閉するシャッタ部材をスライド自在に支持するスライドガイド部及び該スライドガイド部の下側に形成され上記シャッタ部材を組み込む組込用開口部が形成されたカートリッジ本体と、
上記記録及び／又は再生用開口部を開閉するシャッタ部と、上記シャッタ部材のスライド方向に離間して複数箇所に上記シャッタ部と平行に折り曲げ形成され上記スライドガイド部に支持される支持片及び上記シャッタ部と直交する方向に折り曲げ形成され上記支持片とともに上記スライドガイド部を挟持する係合片が形成されたカートリッジ支持部とを有するシャッタ部材とを備える記録媒体カートリッジにおいて、
上記支持片は、上記シャッタ部材のスライド方向の一端側の折り曲げ長さが他端側よりも長く形成され、
上記スライドガイド部は、上記シャッタ部材の支持片がスライド自在に挿入されるガイド溝と、上記係合片が嵌挿されるガイドレール部とを有し、上記ガイド溝には、上記シャッタ部材が上記スライドガイド部に装着される際に上記支持片が挿入される切欠き部が設けられ、
上記切欠き部は、上記支持片の長辺側に対応する側の切欠き深さが上記短辺側に対応する側の切欠き深さよりも深く形成されたテーパ面を有するディスクカートリッジ。
【請求項２】
上記シャッタ部材は、一対の上記支持片がスライド方向に離間して形成され、上記記録及び／又は再生用開口部の開放方向下流側に設けられた第２の支持片が長辺側から上記ガイド溝に挿入され、次いで上記記録及び／又は再生用開口部の開放方向上流側に設けられた第１の支持片が長辺側から上記ガイド溝に形成された上記切欠き部に挿入されることにより、上記スライドガイド部に取り付けられることを特徴とする請求項１記載のディスクカートリッジ。
【請求項３】
上記シャッタ部材は、一対の係合片がスライド方向に離間して形成され、第１の係合片が上記ガイドレール部に形成されたガイドスリットに摺動自在に係合され、第２の係合片が上記ガイドレール部の上記ガイドスリットよりも上記記録及び／又は再生装置の開放方向下流側の上記ガイド壁を上記支持片と共に挟持することを特徴とする請求項１又は２記載のディスクカートリッジ。
【請求項４】
上記カートリッジ支持部は、上記シャッタ部材が上記記録及び／又は再生用開口部を閉塞する位置にスライドされると、上記切欠き部を覆うことを特徴とする請求項１乃至請求項３記載のディスクカートリッジ。
【請求項５】
ディスクを回転自在に収納するとともに、一面側に上記ディスクを回転駆動するディスク回転駆動機構が進入する駆動用開口部及び上記ディスクに対して情報信号の記録及び／又は再生を行う記録及び／又は再生用開口部が形成され、一側面に上記記録及び／又は再生用開口部を開閉するシャッタ部材をスライド自在に支持するスライドガイド部及び該スライドガイド部の下側に形成され上記シャッタ部材を組み込む組込用開口部が形成されたカートリッジ本体に、上記記録及び／又は再生用開口部を開閉するシャッタ部と上記シャッタ部材のスライド方向に離間して複数箇所に上記シャッタ部と平行に折り曲げ形成され上記スライドガイド部に支持される支持片及び上記シャッタ部と直交する方向に折り曲げ形成され上記支持片とともに上記スライドガイド部を挟持する係合片が形成されたカートリッジ支持部とを有するシャッタ部材を組み付けるディスクカートリッジのシャッタ組み付け方法において、
上記シャッタ部材の支持片は、上記シャッタ部材のスライド方向の一端側の折り曲げ長さが他端側よりも長く形成され、
上記スライドガイド部は、上記支持片がスライド自在に係合するガイド溝と、該ガイド溝に設けられ上記支持片が挿入される切欠き部が形成され、
上記切欠き部は上記支持片の長辺側に対応する側の切欠き深さが上記短辺側に対応する側の切欠き深さよりも深く形成されたテーパ面を有し、
上記シャッタ部材を傾けて、上記支持片を上記長辺側から、上記切欠き部の深く切り欠かれた側に挿入して、
上記係合片を上記組込用開口部からスライドガイド部に形成されたガイドレール部に嵌挿させ上記支持片と係合片とで上記ガイドレール部を挟持することを特徴とするディスクカートリッジのシャッタ組み付け方法。
【請求項６】
上記支持片は２つ設けられ、各支持片は、上記記録再生用開口部を開放するシャッタ部材のスライド方向下流側を長辺側とし、
上記シャッタ部材には上記スライド方向下流側に、上記シャッタ部材のスライドを規制する規制部材が設けられ、
上記シャッタ部材は、上記規制部材を上記組込用開口部よりカートリッジ本体内に組み込むと共に上記スライド方向下流側に形成された第１の支持片を上記ガイド溝に挿入し、次いで上記スライド方向上流側の第２の支持片を上記切欠き部より上記ガイド溝に挿入することにより上記カートリッジ本体に組み付けられることを特徴とする請求項５記載のディスクカートリッジのシャッタ組み付け方法。
【発明の詳細な説明】
【技術分野】
【０００１】
本発明は、光ディスク、光磁気ディスク等のディスクを収納したディスクカートリッジ及びディスクカートリッジのシャッタ組み付け方法に関する。
【背景技術】
【０００２】
従来、光ディスク等のディスク状記録媒体を回転可能に収納し、ディスク状記録媒体を収納したままの状態で記録及び／又は再生装置に装着されるディスクカートリッジが広く用いられている。ディスクカートリッジは、ディスク状記録媒体をカートリッジ本体に収納することにより、ディスク状記録媒体の保護を図り、記録及び／又は再生装置への装脱を容易に行うことができる。
【０００３】
この種のディスクカートリッジにおいて、ディスク状記録媒体を収納するカートリッジ本体には、合成樹脂を成型して形成した上下一対のハーフを突き合わせ結合して一体化したものが広く用いられている。また、ディスクカートリッジはディスク状記録媒体をカートリッジ本体に収納したままの状態で記録及び／又は再生装置に装着可能とすることから、このカートリッジ本体には、ディスク状記録媒体を回転操作するためのディスク回転駆動機構を構成するターンテーブルを臨ませるための駆動用開口部と、ディスク状記録媒体の信号記録領域の一部を内外周に亘って外方に臨ませる記録及び／又は再生用開口部が設けられている。
【０００４】
そして、このディスクカートリッジは、カートリッジ本体に収納したディスク状記録媒体の保護を図るため、少なくとも記録及び／又は再生用開口部を開閉するシャッタ部材が設けられている。このシャッタ部材は、カートリッジ本体の一側面にスライド可能に取り付けられ、シャッタ付勢機構によってディスクカートリッジが記録及び／又は再生装置に装着される前においては、記録及び／又は再生用開口部を閉塞する方向にスライドされ、記録及び／又は再生装置に装着されると記録及び／又は再生用開口部を開放する方向へスライドされる。
【０００５】
このシャッタ部材は、カートリッジ本体を構成する上下ハーフを突き合わせ結合する前に予め上下ハーフの何れかに装着しておくことは続く上下ハーフの突き合わせ工程が煩雑化することから、上下ハーフを突き合わせ結合した後に取り付けられる工程が取られる。
【０００６】
このためシャッタ部材は、上下ハーフが突き合わせ結合されてなるカートリッジ本体に容易に取り付けることができると共に、スライド操作されることによってカートリッジ本体から外れない構成を備えることが必要となる。
【０００７】
【特許文献１】特願２００３−２８１３８８号
【発明の開示】
【発明が解決しようとする課題】
【０００８】
そこで、本発明はカートリッジ本体への取り付けが容易で、かつスライド操作中に外れることがないシャッタ部材を備えるディスクカートリッジ及びシャッタ部材の組み付け方法を提供することを目的とする。
【課題を解決するための手段】
【０００９】
上述した課題を解決するために、本発明にかかるディスクカートリッジは、ディスクを回転自在に収納するとともに、一面側に上記ディスクを回転駆動するディスク回転駆動機構が進入する駆動用開口部及び上記ディスクに対して情報信号の記録及び／又は再生を行う記録及び／又は再生用開口部が形成され、一側面に上記記録及び／又は再生用開口部を開閉するシャッタ部材をスライド自在に支持するスライドガイド部及び該スライドガイド部の下側に形成され上記シャッタ部材を組み込む組込用開口部が形成されたカートリッジ本体と、上記記録及び／又は再生用開口部を開閉するシャッタ部と、上記シャッタ部材のスライド方向に離間して複数箇所に上記シャッタ部と平行に折り曲げ形成され上記スライドガイド部に支持される支持片及び上記シャッタ部と直交する方向に折り曲げ形成され上記支持片とともに上記スライドガイド部を挟持する係合片が形成されたカートリッジ支持部とを有するシャッタ部材とを備える記録媒体カートリッジにおいて、上記支持片は、上記シャッタ部材のスライド方向の一端側の折り曲げ長さが他端側よりも長く形成され、上記スライドガイド部は、上記シャッタ部材の支持片がスライド自在に挿入されるガイド溝と、上記係合片が嵌挿されるガイドレール部とを有し、上記ガイド溝には、上記シャッタ部材が上記スライドガイド部に装着される際に上記支持片が挿入される切欠き部が設けられ、上記切欠き部は、上記支持片の長辺側に対応する側の切欠き深さが上記短辺側に対応する側の切欠き深さよりも深く形成されたテーパ面を有するものである。
【００１０】
また、本発明にかかるシャッタ部材の組み付け方法は、ディスクを回転自在に収納するとともに、一面側に上記ディスクを回転駆動するディスク回転駆動機構が進入する駆動用開口部及び上記ディスクに対して情報信号の記録及び／又は再生を行う記録及び／又は再生用開口部が形成され、一側面に上記記録及び／又は再生用開口部を開閉するシャッタ部材をスライド自在に支持するスライドガイド部及び該スライドガイド部の下側に形成され上記シャッタ部材を組み込む組込用開口部が形成されたカートリッジ本体に、上記記録及び／又は再生用開口部を開閉するシャッタ部と上記シャッタ部材のスライド方向に離間して複数箇所に上記シャッタ部と平行に折り曲げ形成され上記スライドガイド部に支持される支持片及び上記シャッタ部と直交する方向に折り曲げ形成され上記支持片とともに上記スライドガイド部を挟持する係合片が形成されたカートリッジ支持部とを有するシャッタ部材を組み付けるディスクカートリッジのシャッタ組み付け方法において、上記シャッタ部材の支持片は、上記シャッタ部材のスライド方向の一端側の折り曲げ長さが他端側よりも長く形成され、上記スライドガイド部は、上記支持片がスライド自在に係合するガイド溝と、該ガイド溝に設けられ上記支持片が挿入される切欠き部が形成され、上記切欠き部は上記支持片の長辺側に対応する側の切欠き深さが上記短辺側に対応する側の切欠き深さよりも深く形成されたテーパ面を有し、上記シャッタ部材を傾けて、上記支持片を上記長辺側から、上記切欠き部の深く切り欠かれた側に挿入して、上記係合片を上記組込用開口部からスライドガイド部に形成されたガイドレール部に嵌挿させ上記支持片と係合片とで上記ガイドレール部を挟持するものである。
【発明の効果】
【００１１】
このようなディスクカートリッジ及びシャッタ部材の組み付け方法によれば、シャッタ部材を傾けて、支持片をガイド溝に形成された切欠き部に挿入する。このとき、支持片は、折り曲げ長さの長い長辺側が切欠き部の深く切り欠かれた側に挿入することとなるため、長辺側を容易に挿入できると共に、この長辺側に先導されて支持片を容易に切欠き部内に挿入することができる。次いで、シャッタ部材を上ハーフ側に押し込むことにより、組込用開口部内よりカートリッジ本体内に挿入された係合片をガイドレール部に嵌挿させることができる。
【発明を実施するための最良の形態】
【００１２】
以下、本発明が適用されたディスクカートリッジについて図面を参照しながら具体的に説明する。本発明が適用されたディスクカートリッジ１は、ディスク状記録媒体として、例えば、光ディスク２を回転可能に収納したものであって、図１及び図２に示すように、上下一対のハーフ３，４を突き合わせ結合したカートリッジ本体５を備え、このカートリッジ本体５内に光ディスク２を回転可能に収納している。
【００１３】
本発明に係るディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を６０ｍｍ程度とする小径の光ディスク２を収納したものであって、片手の掌に収納し得る程度の大きさに形成されている。
【００１４】
このディスクカートリッジ１を構成するカートリッジ本体５は、図１乃至図３に示すように、このディスクカートリッジ１が装脱されるディスク記録及び／又は再生装置への挿入端側となる一側面である前面側を円弧状部７として形成している。この円弧状部７は、図３に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
【００１５】
カートリッジ本体５の円弧状部７に連続する相対向する側面は、互いに平行な側面８，９として形成され、円弧状部７と対向する背面側は、なだらかに湾曲して連続した湾曲部１０として形成されている。
【００１６】
本発明に係るディスクカートリッジ１は、挿入端側となる一の側面である前面を他の面に比し大きく湾曲したほぼ半円の円弧状部７としているので、カートリッジ挿脱口を介してスロットイン方式により装脱が行われるディスク記録及び／又は再生装置への挿入方向を容易に判別できる。特に、掌内に収納できる程度に小型化したディスクカートリッジ１にあっては、手で握った感覚でも挿入方向の識別を行うことができるので、誤挿入を防止して正確にディスク記録及び／又は再生装置に装着することも可能となる。しかも、このディスクカートリッジ１は、後述するように、スロットイン方式のディスク記録及び／又は再生装置へ挿入操作が容易となるばかりか、確実な挿入操作を実現できる。
【００１７】
更に、本発明に係るディスクカートリッジ１は、挿入端側をほぼ半円の円弧状部７とし、更に加えて円弧状部７と対向する背面も湾曲部１０としているので、収納する光ディスク２に対し一層の小型化が実現されている。
【００１８】
ここで、互いに突き合わせ結合されてカートリッジ本体５を構成する上下ハーフ３，４を更に具体的に説明する。この上下ハーフ３，４は、ポリカーボネート樹脂やＡＢＳ樹脂等の合成樹脂材料をモールド成型して形成される。
【００１９】
カートリッジ本体５の下面側を構成する下ハーフ４の中央部には、図２及び図３に示すように、カートリッジ本体５に収納した光ディスク２の中心部に形成したセンター穴１１及びその周縁を外方に臨ませる円形の中央開口部１２が形成されている。中央開口部１２は、ディスクカートリッジ１が装着されるディスク記録及び／又は再生装置側に設けられたディスク回転駆動機構の一部を構成する例えばターンテーブルが進入する。すなわち、中央開口部１２は、光ディスク２を回転駆動させるための機構の一部が進入する駆動用開口部として機能する。
【００２０】
また、下ハーフ４には、図２乃至図４に示すように、記録及び／又は再生用開口部を構成するヘッド部用開口部１３が形成されている。ヘッド部用開口部１３は、カートリッジ本体５の一方の側面８側に位置し、中央開口部１２に近接した位置から側面８に亘って矩形状に形成されている。すなわち、ヘッド部用開口部１３は、カートリッジ本体５に収納された光ディスク２の信号記録領域の一部を内外周に亘って外方に臨ませる足る大きさの矩形状に形成されている。ここで、ヘッド部用開口部１３は、図４に示すように、一方の側面８に位置する側を開放して形成されている。このように、ヘッド部用開口部１３の側面８側が開放されることにより、光ディスク２の最外周位置までヘッド部の走査領域とすることができるので、光ディスク２の信号記録領域を大きくでき、光ディスク２の記録容量を大きくすることができる。また、ヘッド部用開口部１３は、中央開口部１２に連続することなく、中央開口部１２との間に連接部を残して形成されているので、下ハーフ４の機械的強度を維持することができる。
【００２１】
また、下ハーフ４は、カートリッジ本体８側の側面が開放されることにより、ヘッド部用開口部１３を開閉するシャッタ部材３５をカートリッジ本体５に組み込むための組込用開口部１４を構成する。組込用開口部１４は、上ハーフ３側に形成されたガイド溝５１の下側に位置し、シャッタ部材３５をカートリッジ本体５のスライドガイド部３４に組み付ける際に、シャッタ部材３５の移動ガイド片４２に形成された折曲げ片及び係合片が挿入される。
【００２２】
下ハーフ４に突き合わせ結合されてカートリッジ本体５の上面側を構成する上ハーフ３は、光ディスク２と対向する面を、図１に示すように、開口部等が設けられることなく平坦な面とされている。また上ハーフ３は、図１、図２及び図４に示すように、カートリッジ本体５の側面８側にヘッド用開口部１３の開閉を行うシャッタ部材３５をスライド自在に支持するスライドガイド部３４が形成されている。このスライドガイド部３４及びシャッタ部材３５については後に詳述する。
【００２３】
上下ハーフ３，４の突き合わせ面側には、互いに突き合わせ結合されることによってカートリッジ本体４の外周壁１５を構成する立ち上がり周壁１６，１７が形成されている。各立ち上がり周壁１６，１７は、図１及び図２に示すように、上下ハーフ３，４の外周縁に沿って形成されている。各立ち上がり周壁１６，１７のうち、上下ハーフ３，４の半円の円弧状部７を構成する領域に位置する部分の突き合わせ面側には、相対係合する複数の係合凹部と係合突部とが形成されている。
【００２４】
各立ち上がり周壁１６，１７は、係合凹部と係合突部とを相対係合して突き合わせ、次いで、超音波が印加されて溶着用リブが溶融されることにより、互いに溶着されてカートリッジ本体５の外周壁１５を構成する。
【００２５】
また、上下ハーフ３，４の相対向する内面側には、互いに突き合わされてディスク収納部６を構成する円弧状の収納部規制壁が形成されている。これら収納部規制壁は、カートリッジ本体５の湾曲部１０を構成する背面側に位置して形成され、カートリッジ本体５の前面側の円弧状部７を構成する立ち上がり周壁１６，１７に連続するような円弧状に形成されている。これら収納部規制壁と立ち上がり周壁１８，１９とは、互いに突き合わせられて円形のディスク収納部６を形成する。収納部規制壁２１，２２と立ち上がり周壁１６，１７は、ディスク収納部６に収納された光ディスク２の外周囲を囲むように形成されているので、ディスク収納部６に収納された光ディスク２の収納位置を規制すると共に、ディスク収納部６への異物の進入を防止して光ディスク２の保護を図るディスク保護壁としても機能する。
【００２６】
更に、下ハーフ４には、湾曲部１０を構成する背面側の両側に、ディスクカートリッジ１をディスク記録及び／又は再生装置に装着したとき、装置側に設けた位置決めピンが係合する第１及び第２の位置決め孔２５，２６が設けられている。なお、第２の位置決め孔２６は、位置決めピンの係合位置を調整するため、図２及び図４に示すように、カートリッジ本体５の各側面８，９に亘る幅方向を長径とする長孔として形成されている。
【００２７】
上述のように構成された上下ハーフ３，４を突き合わせ結合してカートリッジ本体５を形成するには、下ハーフ５を位置決め治具に位置決め支持し、下ハーフ４側の複数の係合突部に上ハーフ３側の複数の係合凹部をそれぞれ相対係合して互いの立ち上がり周壁１６，１７が突き合わせられる。
【００２８】
このように互いに位置決めが図られて突き合わせられた上下ハーフ３，４は、超音波溶着装置を用いて、係合突部１９及び立ち上がり周壁１７の先端部に設けられた溶着用リブを溶融することにより、一体的に結合されてカートリッジ本体５を構成する。
【００２９】
以上のようにして形成されたカートリッジ本体５には、側面部８にシャッタ部材３５のカートリッジ支持部３７をスライド自在に係合することにより、シャッタ部材３５をヘッド部用開口部１３を開閉する図１及び図２中矢印Ａ方向又は矢印Ｂ方向に移動可能に支持するスライドガイド部３４が形成されている。
【００３０】
このスライドガイド部には、図１、図２及び図４に示すように、ヘッド部用開口部１３を開閉するシャッタ部材３５が取り付けられる。このシャッタ部材３５は、薄い金属板を打ち抜き折り曲げて形成され、若しくは合成樹脂材料を形成して形成されたものであって、ヘッド部用開口部１３を閉塞する足るに大きさの矩形状に形成したされ平板状のシャッタ部３６と、このシャッタ部３６の基端部側に形成された断面コ字状に形成されたカートリッジ支持部３７とを備える。シャッタ部３６の先端部には、カートリッジ本体５側に取り付けられるシャッタガイド部材３８により支持されるガイド支持部３９が設けられている。ガイド支持部３９は、図４及び図５に示すように、シャッタ部３６の先端部をカートリッジ本体５側に向かうように折り曲げて形成されている。
【００３１】
シャッタ部材３５に設けられるカートリッジ支持部３７は、シャッタ部３６の基端部から垂直に立ち上がり形成された移動ガイド片４２を有し、この移動ガイド片４２の先端部にシャッタ部３６側に向かって折り曲げられた２つの第１、第２の支持片４３，４４がシャッタ部材３５の短手方向に離間して設けられている。また、移動ガイド片４２の第１、第２の支持片４３，４４が形成された位置よりさらに外側には、第１、第２の支持片４３，４４が形成された位置より一段低い位置でＬ字状に折り曲げされた２つの第１、第２の折曲げ片４５，４６がシャッタ部材３５の短手方向に離間して設けられている。第１、第２の折曲げ片４５，４６の先端部には、それぞれ第１、第２の支持片４３，４４側に突出するように第１、第２の係合片４５ａ，４６ａが折り曲げ形成されている。
【００３２】
移動ガイド片４２の先端部より折り曲げ形成された第１、第２の支持片４３，４４は、後述するカートリッジ本体５のスライドガイド部３４に形成されたガイド溝５１に係合されることにより、スライドガイド部３４にスライド自在に支持されるものである。この第１、第２の支持片４３，４４は、図４乃至図６に示すように、シャッタ部材３５のヘッド部用開口部１３の開口方向下流側の折り曲げ長さが開口方向上流側よりも長く形成され、シャッタ部材３５の先端側に向かって突出する突部４３ａ，４４ａが形成されている。突部４３ａ，４４ａは、ガイド溝５１に挿入される際の挿入端となる部分であり、シャッタ部材３５が傾かされることにより、後述するガイド溝５１に形成された切欠き部５３に挿入される。これにより移動ガイド片４２に形成された第１、第２の折曲げ片４５，４６がスライドガイド部３４のガイド壁レール部５２に嵌装され、シャッタ部材３５がスライドガイド部３４に組み付けられる。
【００３３】
これら第１、第２の支持片４３，４４の外側に折り曲げ形成された第１、第２の折曲げ片４５，４６は、スライドガイド部３４のガイドレール部５２に嵌装されることにより第１、第２の支持片４３，４４とともにガイドレール部５２を挟持し、シャッタ部材３５をスライドガイド部３４に支持させるものである。第１、第２の折曲げ片４５，４６は、下ハーフ４側に形成された組込用開口部１４よりカートリッジ本体５内に挿入されるとともに、スライドガイド部３４に形成されたガイドレール部５２を摺動しながら上ハーフ側に押し込まれることによりガイドレール部５２に嵌装され、第１、第２の支持片４３，４４とともにスライドガイド部３４にスライド自在に支持される。
【００３４】
またシャッタ部材３５は、カートリッジ支持部３７を構成する移動ガイド片４２の一側から、図４乃至図７に示すように、連結アーム１００が延長されている。すなわち、連結アーム１００は、シャッタ部材３５がカートリッジ本体５に取り付けられたとき、ヘッド部用開口部１３の開放方向下流側に位置する移動ガイド片４２の一側から延長するように形成されている。また、連結アーム１００は、シャッタ部材３５がカートリッジ本体５に取り付けられたとき、円弧状のディスク収納部６の外周面に沿って延在するように湾曲しながら移動ガイド片４２の一側から延長されている。すなわち、連結アーム１００は、シャッタ部３６のガイド支持部３９が設けられた先端側に向かって湾曲しながら延長されている。
【００３５】
そして、連結アーム１００の先端部側には、基端部側を固定して連結アーム１００に沿って延長するようにして弾性変位片１０１が連結されている。弾性変位片１０１は、基板部側を連結アーム１００の先端部に溶着若しくは接着等の方法を用いて接合して連結される。このとき、弾性変位片１０１は、基端部側の折り曲げ部１０１ａを連結アーム１００の先端部に突き当て、連結アーム１００に対する位置決めが図られている。
【００３６】
また、弾性変位片１０１は、図６及び図７に示すように、シャッタ部３６の基端部側に設けられてカートリッジ本体５の一側面に対向する移動ガイド片４２に設けた窓部４２ａに至る長さを有するように形成され、窓部４２ａに臨む先端側に押圧操作片１０２が設けられている。押圧操作片１０２は、ディスクカートリッジ１がディスク記録及び／又は再生装置に装着されるとき、記録及び／又は再生装置側に設けられたシャッタ開放操作機構の一部であるシャッタ開放操作部によって押圧操作される部分である。
【００３７】
更に、弾性変位片１０１は、先端部側が移動ガイド片４２の内面に圧接しながら押圧操作片１０２が窓部４２ａから突出するような付勢力が付与されるように連結アーム１００に連結されている。すなわち、弾性変位片１０１は、連結アーム１００に連結された基端部側から湾曲しながら移動ガイド片４２に向かって延長され、先端部側が移動ガイド片４２の内面に圧接にされることにより図６中矢印Ｃ方向の付勢力が付与されている。
【００３８】
弾性変位片１０１の移動ガイド片４２に沿う部分は、移動ガイド片４２と平行に延長する直線部１０１ｂとされ、連結アーム１００及び弾性変位片１０１は、折り曲げ部１０１ａ側が、シャッタ部材３５がヘッド用開口部１３を開放した位置にあるとき、カートリッジ本体５の湾曲部１０側のコーナ部を構成する上下ハーフ３，４の立ち上がり周壁１６，１７の内面、すなわちカートリッジ本体５の外周壁１５の内面の曲率と略一致するような曲率を有するように形成されている。これにより、シャッタ部材３５がヘッド用開口部１３を開放したとき、弾性変位片１０１の反発力により、シャッタ部材３５が閉まる方向に移動することを防止することができる。
【００３９】
また、上述した移動ガイド片４２の他方の側に形成された第２の折曲げ片４６には、シャッタ移動規制部材１０５が取り付けられる。シャッタ移動規制部材１０５は、図４及び図５に示すように、薄板状の金属板を打ち抜き折り曲げて形成されたものであって、一端側に押圧操作部１０６が設けられ、他端側に係止部１０７が設けられている。押圧操作部１０６は、シャッタ移動規制部材１０５の一端側の一側をほぼ垂直に折り曲げることによって形成されている。この押圧操作部１０６は、ディスクカートリッジ１がディスク記録及び／又は再生装置に装着されるとき、記録及び／又は再生装置側に設けられたシャッタ開放操作機構の一部であるシャッタ開放操作部によって押圧操作される。
【００４０】
なお、弾性変位片１０１の先端側に設けられる押圧操作片１０２は、シャッタ移動規制部材１０５の押圧操作部１０６の内側に位置し、押圧操作部１０６を図６中矢印Ｃ方向に押圧操作する部分となる。
【００４１】
また、係止部１０７は、シャッタ移動規制部材１０５の他端側の一側をほぼ垂直に折り曲げることによって形成される。この係止部１０７は、後述するように、シャッタ部材３５がカートリッジ本体５に取り付けられたとき、カートリッジ本体５側に設けられる移動規制部６１に係止し、ヘッド部用開口部１３を閉塞した位置にあるシャッタ部材３５がヘッド部用開口部１３を開放する方向に移動することを規制する。
【００４２】
そして、シャッタ移動規制部材１０５は、図６及び図７に示すように、シャッタ部材２１をカートリッジ本体５に取り付けたとき、カートリッジ本体５の一方の側面８に対向する移動ガイド片４２に設けた窓部４２ａに押圧操作部１０６を臨ませて第２の折曲げ片４６に取り付けられる。このとき、他端側に設けた係止部１０７は、第２の折曲げ片４６の第２の係合片４６ａが設けられた他方の側から突出するように位置される。
【００４３】
また、シャッタ移動規制部材１０５は、第２の折曲げ片４６の中央部にバーリング加工を施して形成した筒状の突出部１０８に、中央部に穿設した貫通孔１０９を挿通し、突出部１０８の先端を押し潰し変形するカシメ加工を施すことによって、突出部１０８を中心にして回動可能に第２の折曲げ片４６に取り付けられる。
【００４４】
そして、シャッタ移動規制部材１０５は、押圧操作部１０６を移動ガイド片４２と弾性変位片１０１との間に位置させて第２の折曲げ片４６に取り付けられることにより、押圧操作部１０６の背面側が弾性変位片１０１により押圧されることになり、この押圧操作部１０６が窓部４２ａから突出する方向の図６中矢印Ｃ方向に回動付勢された状態に置かれ、係止部１０７がカートリッジ本体５側の移動規制部６１に確実に係止された状態なっている。シャッタ移動規制部材１０５は、押圧操作部１０６が弾性変位片１０１の付勢力に抗して押圧されることにより、突出部１０８を中心にして図６中矢印Ｄ方向に回動される。そして、係止部１０７が移動規制部６１と係止した状態が解除されることになる。
【００４５】
なお、押圧操作部１０６の押圧操作は、ディスクカートリッジ１が記録媒体として用いられるディスク記録及び／又は再生装置のカートリッジホルダに、このディスクカートリッジ１が挿入されるとき、カートリッジホルダ側に設けられたシャッタ開放操作機構のシャッタ開放操作部が窓部４２ａに進入することによって行われる。
【００４６】
上述したように、シャッタ部材３５に回動可能に取り付けられたシャッタ移動規制部材１０５は、シャッタ部材３５がヘッド部用開口部１３を閉塞した位置に移動されたとき、シャッタ移動規制部材１０５に設けた係止部１０７がカートリッジ本体５側に設けた移動規制部に対向する。そして、シャッタ部材３５がヘッド部用開口部１３を開放する図１中矢印Ａ方向へ移動しようとすると、係止部１０７がカートリッジ本体５側に設けた図示しない移動規制部に当接してシャッタ部材３５の移動を規制し、シャッタ部３６によりヘッド部用開口部１３を閉塞した状態を維持する。
【００４７】
なお、カートリッジ本体５側の移動規制部は、下ハーフ４の内面に突設したディスク収納部６を構成する円弧状のディスク収納壁のヘッド部用開口部１３に臨む一端側に連続して形成されている。
【００４８】
そして、ヘッド部用開口部１３を閉塞した位置にあって移動が規制されたシャッタ部材３５を移動してヘッド部用開口部１３を開放するためには、例えば、ディスク記録及び／又は再生装置のカートリッジホルダ側に設けられたシャッタ開放操作機構のシャッタ開放操作部を窓部４２ａに進入させ、押圧操作部１０６を押圧してシャッタ移動規制部材１０５を図６中矢印Ｄ方向に回動させる。シャッタ移動規制部材１０５が図６中矢印Ｄ方向に回動すると、係止部１０７がカートリッジ本体５の一方の側面８側に移動し、移動規制部に対向しない状態となる。その結果、シャッタ部材３５は、移動規制部により移動規制が解除された状態となって、ヘッド部用開口部１３を開放する図１中矢印Ａ方向の移動が可能な状態となる。
【００４９】
上述したように、ディスクカートリッジ１は、ヘッド部用開口部１３を閉塞位置にあるシャッタ部材３５の開放方向への移動が規制されているので、カートリッジ本体５に収納した光ディスク２の確実な保護を図ることができる。また、ディスクカートリッジ１は、シャッタ部材３５に、このシャッタ部材３５がヘッド部用開口部１３を開放する方向に移動してしまうことを規制するシャッタ移動規制部材１０５を設けた弾性変位片１０１を取り付けるようにしているので、部品点数の削減を図ることができ、更に、シャッタ移動規制部材１０５をシャッタ部材３５の第２の折曲げ片４６に一体に設けるようにしているので、カートリッジ本体５内にシャッタ移動規制部材１０５を配置するための空間を設ける必要がなくなり、ディスクカートリッジ１自体の一層の小型化が実現される。
【００５０】
一方、シャッタ部材３５が移動可能に支持されるスライドガイド部３４は、図４及び図８に示すように、上ハーフ３に設けられた立ち上がり周壁１６の一部に形成されている。このスライドガイド部３４は、シャッタ部材３５の移動方向と平行に立ち上がり周壁１６の外側面に形成されたガイド溝５１と、第１及び第２の支持片４３，４４とによって挟持されるように支持されるガイドレール部５２とから構成されている。
【００５１】
ガイド溝５１は、カートリッジ本体５の側面８側が開放された断面略コ字状の溝であり、ヘッド部用開口部１３の開放方向上流側に、シャッタ部材３５をカートリッジ本体５に組み付ける際にシャッタ部材３５の第１の支持片４３が挿入される切欠き部５３が形成されている。切欠き部５３は、ガイド溝５１の底面部を略矩形状に切り欠くことにより形成されている。また切欠き部５３は、シャッタ部材３５の第１の支持片４３の突部４３ａに応じて、ヘッド部用開口部１３の開放方法下流側の切り欠き深さが深く形成されている（図１０（Ａ）参照）。すなわち切欠き部５３は、ヘッド部用開口部１３の開放方向下流側の切り欠き深さが、同上流側の切り欠き深さよりも深く形成され、開放方向下流側から上流側に向かって漸次上ハーフ側に向かって傾斜していくテーパ面とされている。したがって、切欠き部５３は、開放方向下流側が大きく切り欠かれることにより、シャッタ部材３５がカートリッジ本体５に組み付けられる際に、同じく開放方向下流側に突出形成された第１の支持片４３の突部４３ａを容易に挿入することができる。
【００５２】
ガイドレール部５２は、シャッタ部材３５に形成された第１、第２の折曲げ片４５，４６の第１の係合片４５ａ、第２の係合片４６ａが嵌装されるものであり、図８及び図９に示すように、第１の係合片４５ａが係合されるガイドスリット５２ａと、第２の係合片４６ａが当接されるガイド壁５２ｂとを有する。ガイドレール部５２は、外方側に臨む面が上ハーフ３の平面に垂直な面とされ、カートリッジ支持部３７を構成する移動ガイド片４２の内側面と対向して、シャッタ部材３５の移動をガイドする第１のガイド面５５を構成する。
【００５３】
ガイドスリット５２ａは、第１のガイド面５５と直交する面にカートリッジ本体５の側壁８と平行にカートリッジ本体５の上面側にスリットが形成されてなる。このガイドスリット５２ａは、ヘッド部用開口部１３の開放方向上流側に形成され、連結部４２よりシャッタ部３６側に折り曲げ形成された第１の折曲げ片４５の先端よりさらにシャッタ部３６と直交する方向に折り曲げられた第１の係合片４５ａが挿入されることにより、シャッタ部材３５のスライドをガイドすると共に、スライド方向の両端部に第１の係合片４５ａが付き当てられることにより、シャッタ部材３５のスライド位置を規制する。
【００５４】
ガイド壁５２ｂは、ヘッド部用開口部１３の開放方向下流側にガイドスリット５２ａより連続して形成され、第２の折曲げ片４６の先端よりシャッタ部３６と直交する方向に折り曲げ形成された第２の係合片４６ａがカートリッジ本体５の内側より当接される。これにより、ガイド壁５２ｂは、第２の係合片４６ａ及び第２の支持片４４によって摺動可能に挟持される。このガイド壁５２ｂは、カートリッジ本体５の内方側に臨む面が第１のガイド面５５と平行な面とされ、第２の係合片４６ａと対向して、シャッタ部材３５の移動方向をガイドする第２のガイド面５６を構成している。更に、ガイド壁部５２ｂの先端面は、第１及び第２のガイド面５５，５６と直交する面とされ、第２の折曲げ片４６と対向して、シャッタ部材３５の移動方向をガイドする第３のガイド面５７を構成している。
【００５５】
次いで、このように構成されたスライドガイド部３４にシャッタ部材３５を組み付ける工程について説明する。シャッタ部材３５の組み付け工程は、上下一対のハーフ３，４を突き合わせ結合することによりカートリッジ本体５を形成した後に行われる。
【００５６】
シャッタ部材３５をスライドガイド部３４に組み付けるには、先ず、シャッタ部３６を下ハーフ４に設けたヘッド部用開口部１３上に延在するように配置し、次いで、カートリッジ支持部３７をスライドガイド部３４に係合させる。このとき、カートリッジ支持部３７をスライドガイド部３４に支持させるには、まず、シャッタ部材３５を、ヘッド部用開口部１３の開放方向下流側の一側面３５ａをスライドガイド部３４側に傾けながら、カートリッジ本体５の側面８に開口された組込用開口部１４より連結アーム１００及び第２の折曲げ片４６を挿入し、第２の折曲げ片４６の先端に形成された第２の係合片４６ａをガイドレール部５２に設けられたガイド壁５２ｂの第２のガイド面５６に当接させる。
【００５７】
また、移動ガイド片４２よりシャッタ部３６側に折り曲げ形成された第２の支持片４４は、突部４４ａ側からガイド溝５１へ挿入される。このとき、第２の支持片４４は、ガイド溝５１側に突出された突部４４ａが先にガイド溝５１内へ挿入されることから、この突部４４ａがガイド溝５１内に先導され、容易に挿入される。
【００５８】
次いで、図１０（Ｂ）に示すように、シャッタ部材３５を、ヘッド部用開口部１３の開放方向上流側の他側面３５ｂを下側に傾けて、他側面３５ｂ側に形成された第１の支持片４３をガイド溝５１に形成された切欠き部５３に挿入する。このとき、第１の支持片４３は、突部４３ａが切欠き部５３の深く切り欠かれた側に挿入することとなるため、突部４３ａを容易に挿入できると共に、この突部４３ａに先導されて第１の支持片４３を容易に切欠き部５３内に挿入することができる。次いで、図１０（Ｃ）に示すように、シャッタ部材３５の他側面３５ｂ側に形成された第１の折曲げ片４５を組込用開口部１４内よりカートリッジ本体５内に挿入し、上ハーフ側に押し込むことにより、第１の係合片４５ａをガイドレール部５２のガイドスリット５２ａ内に挿入させるとともに、切欠き部５３内に挿入された第１の支持片４３をガイド溝５１側に移動させる。
【００５９】
これによりシャッタ部材３５は、第１、第２の支持片４３，４４がガイド溝５１に挿入されると共に、第１、第２の折曲げ片４５，４６がガイドレール部５２の第３のガイド面５７に当接され、また第１の係合片４５ａがガイドスリット５２ａに挿入され、第２の係合片４６ａがガイド壁５２ｂの裏面の第２のガイド面５６に当接されることにより、スライドガイド部３４をスライド自在に挟持することができる。このとき、スライドガイド部３４は、シャッタ部材３５の移動方向及びこの移動方向と直交するカートリッジ本体５の厚さ方向の移動が規制される。その結果、シャッタ部材３５は、大きながたつきを発生させることなく、スライドガイド部３４に安定した状態でガイドされて移動可能となる。
【００６０】
また、ディスクカートリッジ１は、シャッタ部材３５がスライドされヘッド部用開口部１３を閉塞されると、切欠き部５３の外方に移動ガイド片４２が位置されるため、記録及び／又は再生装置に装着されていない常態において、切欠き部５３が外から見えにくくされている。
【００６１】
なお、本発明に係るディスクカートリッジ１においては、シャッタ部３６の先端部に形成したガイド支持部３９を支持するとともに、シャッタ部３６のカートリッジ本体５からの浮き上がりを防止し、シャッタ部材３５の安定した移動をするシャッタガイド部材３８が設けられる。このシャッタガイド部材３８は、薄い板状部材を打ち抜いて形成されるものであって、上下ハーフ３，４を構成する材料と同種のポリカーボネート樹脂等の合成樹脂により形成されたものが用いられる。
【００６２】
シャッタガイド部材３８は、ヘッド部用開口部１３を開閉するシャッタ部３６の先端側のスライドガイド部３９を支持するものであり、図２及び図３に示すように、カートリッジ本体５の一方の面を構成する下ハーフ４の外方側の平面であって、円形の中央開口１２とヘッド部用開口部１３との間に位置し、少なくともシャッタ部材３５の移動範囲に亘ってスライドガイド部３９を支持するに足る長さに形成される。
【００６３】
そして、シャッタガイド部材３８は、少なくとも下ハーフ４の外方側の平面から突出しないようにほぼ面一となるように取り付けられる。
【００６４】
そして、シャッタ部材３５は、支持部スライド用凹部にシャッタ部３６の先端側に形成したガイド支持部３９を進入させ、このガイド支持部３９がガイド部材取付用凹部内に取り付けられたシャッタガイド部材３８により支持されてカートリッジ本体５に取り付けられる。
【００６５】
また、シャッタ部材３５は、上ハーフ３に設けられた立ち上がり周壁１６の先端部側に形成したスライドガイド部３４に支持されるので、カートリッジ本体５の上面側を構成する上ハーフ３の平面側は、図１に示すように、大きく開放された面とすることができる。すなわち、シャッタ部材３５は、上ハーフ３の平面側にスライドガイド部３４等の一部を臨ませることなくカートリッジ本体５に取り付けられている。
【００６６】
ところで、本発明に係るディスクカートリッジ１において、シャッタ部材３５は、カートリッジ本体５の外周面から少なくとも突出しないように取り付けられる。具体的には、シャッタ部材３５は、カートリッジ本体５の外周面と面一となるように取り付けられる。そこで、下ハーフ４側のシャッタ部３６が移動する領域には、図２及び図３に示すように、凹状のシャッタスライド部６８が形成されている。シャッタスライド部６８は、シャッタ部３６をカートリッジ本体５の表面から突出させないに足る深さをもって形成されている。また、スライドガイド部３４の移動ガイド片４２が移動するカートリッジ本体５の一方の側面８側にも、シャッタスライド部６８に連続するスライド部用凹部６９が形成されている。このスライド部用凹部６９も、移動ガイド片４２をカートリッジ本体５の表面から突出させないに足る深さをもって形成されている。
【００６７】
このような本発明が適用されたディスクカートリッジ１にあっては、カートリッジ本体５を高精度に形成することができるので、このカートリッジ本体５に取り付けられるシャッタ部材３５も、カートリッジ本体５に対して安定して移動でき、確実にヘッド部用開口部１３の開閉を行うことができる。
【００６８】
更に、上述したディスクカートリッジ１は、シャッタ部材３５が上ハーフ３側に支持されて下ハーフ４側のヘッド部用開口部１３を開閉するように移動する構成を備えるが、上下ハーフ３，４が互いに位置ずれを抑えて結合されているので、上ハーフ３側に支持されシャッタ部材３５により下ハーフ４側のヘッド部用開口部１３を確実に開閉することができる。
【００６９】
なお、本発明に係るディスクカートリッジ１は、シャッタ部材３５が取り付けられたカートリッジ本体５の一方の側面８には、図１に示すように、ディスク記録及び／又は再生装置側に設けられたシャッタ部材解放操作片が進入するガイド溝７３が設けられている。
【００７０】
また、カートリッジ本体５の円弧状部７の相対向する側面８，９側には、図１及び図２に示すように、このディスクカートリッジ１が装着されるディスク記録及び／又は再生装置側に設けられるカートリッジローディング機構の一部が係合するローディング用の係合凹部７５，７６が設けられている。
【００７１】
更にまた、カートリッジ本体５の円弧状部７の他方の側面９側に位置する部分には、図２に示すように、記録及び／又は再生装置側に設けられるイジェクト機構の一部が係合するイジェクト用の係合凹部７７が設けられている。
【００７２】
更にまた、カートリッジ本体５の側面８，９、あるいは底面には、収納される光ディスク２の種類を識別するための識別孔や識別凹部が必要に応じて設けられる。
【００７３】
上述した説明では、挿入端側を半円状に形成し、小型化を図ったディスクカートリッジに適用した例を挙げて説明したが、本発明は、上述したディスクカートリッジに限られるものではなく、カートリッジ本体を矩形状に形成されたもの、更に、カートリッジ本体の上下の両面に記録及び／又は再生用の開口部を設けたディスクカートリッジにもそのまま適用し、上述したディスクカートリッジと同様の利点を得ることができる。
【００７４】
また、ディスク状記録媒体は、光ディスクに限られるものではなく、磁気ディスクを含む他のディスク状記録媒体や、ディスク記録及び／又は再生装置側に設けられ光ディスクに対して情報信号の記録及び／又は再生を行う記録再生手段のクリーニングを行うクリーニングディスク等を収納したディスクカートリッジに適用し、上記したような利点を得ることができるものである。
【図面の簡単な説明】
【００７５】
【図１】本発明に係るディスクカートリッジを上ハーフ側から見た斜視図である。
【図２】本発明に係るディスクカートリッジを下ハーフ側から見た斜視図である。
【図３】本発明に係るディスクカートリッジを下ハーフ側から見た平面図である。
【図４】カートリッジ本体に取り付けられるシャッタ部材をカートリッジ本体と共に示す斜視図である。
【図５】シャッタ部材を示す斜視図である。
【図６】シャッタ部材を示す平面図である。
【図７】シャッタ部材を示す正面図である。
【図８】下ハーフの内面を示す平面図である。
【図９】シャッタ部材をカートリッジ本体に取り付けた状態を示す断面図である。
【図１０】シャッタ部材をカートリッジ本体に組み込む様子を示す側面図である。
【符号の説明】
【００７６】
１  ディスクカートリッジ、２  光ディスク、３  上ハーフ、４  下ハーフ、５  カートリッジ本体、  ３４  スライドガイド部、３５  シャッタ部材、３７  シャッタ支持部、４２  移動ガイド片、４３，４４  支持片、４５，４６  折曲げ片、４５ａ，４６ａ  係合片、５１  ガイド溝、５２  ガイドレール部、５３  切欠き部
【図１】
2006172519.tif 000003
【図２】
2006172519.tif 000004
【図３】
2006172519.tif 000005
【図４】
2006172519.tif 000006
【図５】
2006172519.tif 000007
【図６】
2006172519.tif 000008
【図７】
2006172519.tif 000009
【図８】
2006172519.tif 000010
【図９】
2006172519.tif 000011
【図１０】
2006172519.tif 000012